(57)【要約】【課題】短時間で、簡便かつ容易に嵌装できる作業効率に優れ、機械による自動装着が容易で、かつ使用の際に容易に外れることのない、発炎筒を所定の位置で燃焼させるための発炎筒用転がり防止部材を提供する。【解決手段】円筒体１の長さ方向に開口部４を有し、かつ該開口部４の両端面の外側に突起２を有し、さらに円筒体１の内面に発炎筒を押止するための爪５を有する発炎筒用転がり防止部材であり、この発炎筒用転がり防止部材の開口部４を、発炎筒と平行に配置し、外側より加圧して、発炎筒に嵌装する。【選択図】図１
0003151684.tif 000002
【実用新案登録請求の範囲】
【請求項１】
中空円筒の一部が切り欠けられた開口部を有し、
略Ｃ字形状の断面を有してなり、
該開口部から発炎筒の外周に嵌め込む発炎筒用転がり防止部材において、
前記中空円筒の内面に発炎筒押止用の爪を有し、
さらに、円筒外周面の一部から突出した突起を備えていることを特徴とする発炎筒用転がり防止部材。
【請求項２】
前記突起が、上記開口部の両端より２箇所突出していることを特徴とする請求項１に記載の発炎筒用転がり防止部材。
【請求項３】
前記突起が、上記開口部から円筒外周方向に折り返された直線状の突起であることを特徴とする請求項１又は２に記載の発炎筒用転がり防止部材。
【請求項４】
前記発炎筒押止用の爪が、中空円筒内面の上記開口部に具備されていることを特徴とする請求項１から３のいずれかに記載の発炎筒用転がり防止部材。
【考案の詳細な説明】
【技術分野】
【０００１】
本考案は、発炎筒用転がり防止部材に関し、より詳しくは、発炎筒の使用時における転がりを防止し、所定の位置で発炎、燃焼させるべく発炎筒に嵌装するための転がり防止部材に関する。
【背景技術】
【０００２】
従来、道路工事や交通事故の処理作業時において、主として赤色炎を発する信号炎管、緊急保安炎筒等の発炎筒を、数本ないし数十本燃焼させることにより、他の走行車両による作業員の二次災害を防止している。発炎筒は、通常、円筒状の形状をしており、道路上に投下又は配置された際、路面上を転がりやすく、特に強風下の場合には、予想外に移動してしまい、所定場所で燃焼させることができないことがある。また、道路の法面等まで転がった場合、草の枯れた時期には火災が発生する恐れがある。
【０００３】
実開昭５７−１３１７８５号公報には、発炎筒に嵌合する内径を有するリングの外側面に、発炎筒の転がりを防止するための突起を、１ないし複数個設けた発炎筒の転がり防止具が開示されている。また、実開昭５７−１３１７８６号公報には、発炎筒に嵌合する内径を有する筒体の外側面に、１個ないし複数個の転がり防止用の突起を設け、かつ筒体のほぼ中央部の内側面に発炎筒のストッパーを設けた発炎筒の接続具が開示されている。
【０００４】
上記転がり防止具又は上記接続具を装着させた発炎筒は、外側面に設けられた突起により転がりが防止でき、強風下の場合でも、転がりによる移動が防止でき、所定の場所で燃焼させることができる。
【０００５】
しかしながら、上記公報開示の転がり防止具や接続具を発炎筒に嵌装させるには、発炎筒の底部から転がり防止具を挿入させなくてはならず、手作業により嵌装させる場合、作業性が低く、また機械による自動装着が困難であるという問題をかかえていた。
【０００６】
短時間で、簡便かつ容易に嵌装でき、作業性に優れ、また機械による自動装着が容易な発炎筒転がり防止具として、特許文献１には、上記の如き突起に加えて、筒体の長さ方向に開口部を設けた防止具が開示されている。しかし、道路工事や交通事故の処理作業時において、該転がり防止具を嵌装した発炎筒を収納場所から取り出す際に、複数収納された転がり防止具の突起同士が引っ掛かり、該転がり防止具が外れてしまうという問題があった。
【先行技術文献】
【特許文献】
【０００７】
【特許文献１】特開２００３−５６９９９号公報
【考案の概要】
【考案が解決しようとする課題】
【０００８】
本考案の目的は、上記特許文献１に開示の転がり防止具の有する問題点を解決した、短時間で、簡便かつ容易に嵌装でき、作業性に優れ、機械による自動装着が容易であり、かつ使用時に取り出す際に外れることの少ない発炎筒用転がり防止部材を提供することである。
【課題を解決するための手段】
【０００９】
本考案者は、鋭意検討した結果、以下に示す発炎筒用転がり防止部材が、上記課題を解決し得ることを見出し、本考案を完成するに至った。
【００１０】
本考案は、中空円筒の一部が切り欠けられた開口部を有し、
略Ｃ字形状の断面を有してなり、
該開口部から発炎筒の外周に嵌め込む発炎筒用転がり防止部材において、
前記中空円筒の内面に発炎筒押止用の爪を有し、
さらに、円筒外周面の一部から突出した突起を備えていることを特徴とする発炎筒用転がり防止部材である。
【００１１】
上記略Ｃ字形状の断面を有している中空円筒の内径は、発炎筒の外径の４／５〜１／１である。
【００１２】
上記開口部の開口幅は、発炎筒の外径の１／１０〜１／２である。
【００１３】
上記発炎筒押止用の爪の長さは、発炎筒の外径の１／３０〜１／６である
【００１４】
上記円筒外周面の一部から突出した突起の長さは、発炎筒の外径の１／３〜１／１である。
【００１５】
さらに、本考案は、前記突起が、上記開口部の両端より２箇所突出していることを特徴とする発炎筒用転がり防止部材である。
【００１６】
さらに、本考案は、前記突起が、上記開口部から円筒外周方向に折り返された直線状の突起であることを特徴とする前記の発炎筒用転がり防止部材である。
【００１７】
さらに、本考案は、前記発炎筒押止用の爪が、中空円筒内面の上記開口部に具備されていることを特徴とする発炎筒用転がり防止部材である。
【考案の効果】
【００１８】
本考案によれば、短時間で、簡便かつ容易に嵌装でき、機械による自動装着が容易であり、かつ使用時に取り出す際に容易に外れることのない発炎筒用転がり防止部材を提供することが出来る。
【図面の簡単な説明】
【００１９】
【図１】本考案の発炎筒用転がり防止部材の一形態を示す斜視図である。
【図２】本考案の発炎筒用転がり防止部材を発炎筒に嵌装させる手順を示した断面模式図である。
【考案を実施するための形態】
【００２０】
以下、本考案を、図面を参照して説明する。
【００２１】
図１は、中空円筒の一部が切り欠けられた開口部を有し、略Ｃ字形状の断面を有してなり、該開口部から発炎筒の外周に嵌め込む発炎筒用転がり防止部材であって、
円筒の内面に発炎筒押止用の爪を２個有し、かつ円筒体の開口部の両端面において、円筒外周方向に折り返された直線状の突起を２個有する発炎筒用転がり防止部材を示す斜視図である。
すなわち、円筒体１の内面に２個の爪５を有し、かつ円筒体１の長さ方向（円筒の高さ方向）に開口部４を有し、かつ円筒体１の開口部４の両端面の外側に突起２を有している。
【００２２】
本考案の発炎筒用転がり防止部材の発炎筒への嵌装しやすさ、また使用時、発炎筒を路面等に投下した時の転がり防止部材の抜けにくさは、適用する素材の弾力性、発炎筒に嵌装させる円筒体１の内径、円筒体１の厚さ、円筒体１の長さ、及び円筒体１の開口部４の開口幅に依存する。
【００２３】
本考案の発炎筒用転がり防止部材に適用される素材としては、弾力性を有する公知の素材を用いることができる。例えば、ポリエチレン、ポリプロピレン、ポリ塩化ビニル等の合成樹脂が好適である。
【００２４】
発炎筒３に嵌装させる、発炎筒転がり用防止部材の円筒体１の内径、円筒体１の厚さ、円筒体１の長さ、及び円筒体１の開口部４の開口幅は、材料の有する弾力性、及び発炎筒に装着させる際の加圧させる力によって、適宜選択される。
【００２５】
円筒体１の内径は、通常、発炎筒３の外径の４／５〜１／１である。円筒体１の外径が４／５未満と小さくなると、嵌装させにくくなり、また発炎筒の外径を超えて大きい場合には、使用時、発炎筒を投下した時に、発炎筒用転がり防止部材が抜けやすくなる。
【００２６】
円筒体１の厚さは、通常、１ｍｍ〜３ｍｍである。円筒体１の厚さが１ｍｍより薄くなると、嵌装させる力が弱くなり、使用時、発炎筒を投げ出した時に抜けやすくなり、また、３ｍｍを超えて厚い場合には、嵌装させる力が強くなりすぎて、装着に要する時間が長くなり、作業性が低下する。
【００２７】
円筒体１の長さ（円筒方向の高さ）は、通常、発炎筒の外径の１／６〜１／２である。
【００２８】
円筒体１の長さ方向の開口部４の開口幅は、通常、発炎筒の外径の１／１０〜１／２である。
【００２９】
開口部４の開口幅について、本考案の転がり防止部材に適用する材質によって適宜設定することができ、例えば、ポリエチレンを使用する場合には、発炎筒の外径の１／１０〜１／３であり、また、ポリエチレンより硬く曲がりにくい、弾力性の大きいポリプロピレンの場合には、発炎筒の外径の１／６〜１／２である。弾力性の大きい材料では、一般に、開口幅が大きい方が好ましい。
【００３０】
一般に、開口幅が大きいと、小さい加圧力で発炎筒に嵌装できるが、使用時に発炎筒から抜けやすくなり、また開口幅が小さいと、加圧力を大きくしなければ嵌装できず、作業性に不具合が生じるため、材料の種類、作業性等を考慮して、適切な開口幅を選択する。
【００３１】
円筒体１の開口部４の端面の角部は、面取りされて曲面となっている。この場合、円筒体１を発炎筒３にスムースに嵌装させることができ、より容易に発炎筒に嵌装することができる。
【００３２】
円筒体１の外側面に設ける、発炎筒用転がり防止部材の突起２の数は、少なくとも１個である。突起２の数が３個を超えても、転がり防止効果はあまり変らないので、３個までで十分である。
【００３３】
例えばこの突起形状は、開口部から円筒外周方向に折り返された直線状の突起とすることができる。
【００３４】
また、突起２の長さは、転がり防止効果を考慮して、適宜選択できるが、通常、発炎筒の外径の１／３〜１／１である。例えば、外径が３ｃｍφの発炎筒の場合、突起２の長さは１ｃｍ〜３ｃｍである。突起２の長さは、長い方が転がり防止効果をより向上させることができる。また、突起２の数が複数の場合、突起２の長さが全て同じであっても良いし、異なっていても良い。
【００３５】
円筒体１の中心線（図１に示す）と突起２とのなす角度θは、通常、４５〜９０度であり、角度θが６０〜８５度の場合、発炎筒用転がり防止部材を発炎筒３に押し付けた時、開口部４の両端の突起２により、開口部４が押し広げられ、嵌装しやすくなり、作業性が向上するので、好ましい。
【００３６】
また、発炎筒押止用の爪５の長さは、通常、発炎筒３の外径の１／３０〜１／６である。例えば、外径が３ｃｍφの発炎筒では、１〜５ｍｍである。
【００３７】
爪５の長さが発炎筒３の外径の１／３０に満たない場合は、発炎筒３を押止する（発炎筒本体を転がり防止部材の内面に押し付け固定する）効果が低く、転がり防止部材が外れる恐れがあり、逆に１／６を超えると、発炎筒３を押止する力が大きくなり過ぎ、発炎筒３の外壁に損傷を与える恐れがある。
【００３８】
爪５の角度は、爪５の中心線が円筒体１の描く円の中心点６を通過する角度とするのが望ましい。これよりも爪５を傾けて設置した場合には、発炎筒３を押止する効果が低下する、若しくは発炎筒３に嵌装する際に爪５自身が引っ掛かり、スムースな嵌装を妨げる恐れがある。
【００３９】
また、この爪は、中空円筒内面の上記開口部に具備されていることが好ましい。
【００４０】
以下、本考案の実施の形態を、実施例により説明する。なお、本考案は、本実施例によりなんら限定されない。
【実施例】
【００４１】
まず、材料としてポリプロピレン樹脂を用い、図１に示すような、円筒体１の開口部４の両端面の外側に突起２を設け、さらに円筒体１の内面に爪５を設けた発炎筒用転がり防止部材（内径：２．８ｃｍφ、長さ：１ｃｍ、厚さ：２ｍｍ）を作製した。開口部４の開口幅は０．８ｃｍ、円筒体１の中心線と突起２とのなす角度θは８０度、突起２の長さは各々３ｃｍ、１ｃｍ、爪５の長さは２ｍｍであった。開口部４の端面の角部は、面取りされて曲面となっている。
【００４２】
ついで、円筒状の発炎筒３（外径：３ｃｍφ、長さ：３０ｃｍ）の下端から５ｃｍの位置に、図２のＡ−Ｂ−Ｃに示す順序で、手作業により、作製した発炎筒用転がり防止部材の開口部４を、発炎筒３に押しつけて、嵌装させた。１００個嵌装させるのに要した時間は、１１０秒であった。
【００４３】
発炎筒用転がり防止部材を嵌装した発炎筒５０本を、傾斜に対して平行となるように配置させて、傾斜１５度の坂道の上から転がし、移動した距離を測定し、転がり防止効果試験を行った。試験結果は、全て１ｍ以内で停止した。
【００４４】
次に、発炎筒用転がり防止部材を嵌装した発炎筒５０本について、吊り秤にて転がり防止部材を静かに牽引し、発炎筒の長軸方向及び短軸方向における、転がり防止部材が外れるまでの最大荷重を計測したところ、それぞれ、１．００ｋｇ及び２．４３ｋｇであった。
【００４５】
比較例
実施例１において、爪５を設けなかった以外は実施例１と同様に発炎筒用転がり防止部材を製作した。以下、実施例１と同様にして、作製した発炎筒用転がり防止部材を発炎筒３に嵌装させた。１００個嵌装させるのに要した時間は、１１０秒であった。
【００４６】
発炎筒用転がり防止部材を嵌装した発炎筒５０本について、実施例１と同様にして、転がり防止効果試験を行ったところ、全て１ｍ以内で停止した。
【００４７】
次に、発炎筒用転がり防止部材を嵌装した発炎筒５０本について、実施例１と同様にして、吊り秤にて転がり防止部材を静かに牽引し、発炎筒の長軸方向及び短軸方向における、転がり防止部材が外れるまでの最大荷重を計測したところ、それぞれ、０．５９ｋｇ及び１．７０ｋｇであった。
【産業上の利用可能性】
【００４８】
本考案によれば、道路工事や車両事故の際に使用される、発炎筒の転がりを防止することが出来、より作業の安全性を高めることができる。
【符号の説明】
【００４９】
１    円筒体
２    突起
３    発炎筒
４    開口部
５    爪
６    円筒体１の描く円の中心点
【図１】
0003151684.tif 000003
【図２】
0003151684.tif 000004